(57)【要約】【課題】細かい周波数ステップのＲＩＴ機能を損なうことなく、ΔＴＸ機能を粗い周波数ステップで使用できる送受信機を提供すること。【解決手段】本発明にかかる送受信機においては、受信用周波数を微調整する機能（いわゆるＲＩＴ機能）と送信用周波数を微調整する機能（いわゆるΔＴＸ機能）とを備えた送受信機ＴＲにおいて、受信用周波数を微調整する周波数ステップデータと送信用周波数を微調整する周波数ステップデータを記憶する参照テーブルＴを備え、設定ツマミ４によって、前記受信用周波数を微調整する周波数ステップデータと、送信用周波数を微調整する周波数ステップデータとを異なるデータに設定できるように構成した。【選択図】　　　　　　図２
2004128609.tif 000002
【特許請求の範囲】
【請求項１】
受信周波数を微調整する機能（ＲＩＴ機能）と、送信周波数を微調整する機能（ΔＴＸ機能）とを有し、受信周波数と送信周波数とが異なる周波数で運用可能な送受信機において、
前記受信周波数を微調整する受信用周波数ステップデータを記憶する受信用周波数ステップデータ記憶手段と、
前記周波数差を設定する送信用周波数ステップデータを記憶する送信用周波数ステップデータ記憶手段と、
前記受信用周波数ステップデータと、前記送信用周波数ステップデータとを異なるデータに設定し得る設定手段と
を備えたことを特徴とする送受信機。
【請求項２】
設定手段は、前記受信用周波数ステップデータを設定する受信用設定手段と前記送信用周波数ステップデータを設定する送信用設定手段とに共用される１つの設定ツマミと、
前記設定ツマミを受信用設定手段もしくは送信用設定手段の何れかに切り換える切り換え手段と
を備えていることを特徴とする請求項１に記載の送受信機。
【発明の詳細な説明】
【０００１】
【発明の属する技術分野】
本発明は、トランシーバにおける（送受信）周波数の設定手段に関するものであり、特には受信周波数を微調整する機能（いわゆるＲＩＴ機能）と送信周波数を微調整する機能（これをΔＴＸ機能と言う。）に関するものである。
【０００２】
【従来の技術】
従来より、トランシーバの運用時に、受信周波数を予め設定された所定の周波数ステップで変更する機能としてＲＩＴ（Ｒｅｃｅｉｖｅｒ　Ｉｎｃｒｅｍｅｎｔａｌ　Ｔｕｎｉｎｇ）機能がある。
【０００３】
また、送信周波数を受信周波数とは異なる周波数に設定する場合が多々ある。例えば、アマチュア無線の運用において、交信を行う一方の無線局Ａが、相手側の無線局Ｂに対して、「当局は、こちらの送信周波数からＸｋＨｚ高い周波数を受信するので、その周波数にて当局を呼び出しされたし。」といったアナウンスを行う場合がある。
このような場合には、相手側の無線局Ｂは、現状の受信周波数（＝無線局Ａの送信周波数）を保持したまま、前記受信周波数からＸｋＨｚ高い周波数を送信周波数に設定して、無線局Ａに対する呼び出しを開始する。
【０００４】
この場合の手順として、従来の無線機であれば、以下のような２種類の手法が可能である。
＜手法Ａ＞
１．送受信周波数を異なった状態で行うための設定（いわゆるＳＰＬＩＴ設定）を行う。
２．送信周波数を前もって計算する（受信周波数に前記ＸｋＨｚを加算する。）
３．メインダイアルもしくはテンキー等の周波数設定手段を用いて、計算した周波数に送信周波数を設定する。
【０００５】
もしくは、上記操作を簡略化するために設けられたΔＴＸ機能を用いた以下の手法がある。
＜手法Ｂ＞
１．ΔＴＸ機能をオンにする。
２．ΔＴＸツマミで送信周波数と受信周波数との周波数差＋ＸｋＨｚを設定する。
【０００６】
上述した＜手法Ａ＞は、送信周波数を、受信周波数と所定の周波数差で相対的に設定する手法ではないため、例えば無線局Ａの送信周波数が何らかの理由により変更された場合には、相手局Ｂは、送信周波数と受信周波数とをそれぞれ個別に設定しなおす必要がある。
このため、送受信周波数の周波数差を相対値で指定して無線運用を行う場合には、＜手法Ｂ＞が使用されることが多い。
【０００７】
前述したＲＩＴ機能においては、受信周波数が、予め設定された周波数ステップ毎に変化し、前述したΔＴＸ機能においては、送信周波数と受信周波数との周波数差が設定された周波数ステップ毎に変化するように制御されるのである。
そして、上記ＲＩＴ機能における受信周波数を設定するために操作するＲＩＴ設定ツマミと、ΔＴＸ機能における周波数差を設定するために操作するΔＴＸ設定ツマミとは、１つの設定ツマミで兼用されることが多い。
従って、ＲＩＴ機能おいても、ΔＴＸ機能においても、共通の設定ツマミで設定された共通の周波数ステップが使用されている。
なお、共用するボリュームの操作データを、スケルチ回路制御用データとＲＩＴ機能の調整用データとに切り換えて使用する構成が開示されている。（例えば、特許文献１参照）
【０００８】
【特許文献１】
実開平５−３１３７５号公報（第２頁、図１）
【０００９】
【発明が解決しようとする課題】
このように、従来は、ＲＩＴ機能とΔＴＸ機能とが１つの設定ツマミで共用されてるとともに、その設定値も１つの設定値が共用されている。
しかし、送信周波数は任意に設定することができるのでΔＴＸ機能における周波数差は粗い周波数ステップで増減させてもよいが、ＲＩＴ機能では、受信信号の見逃しが無いように細かい周波数ステップで受信周波数を増減させることが必要となる。
従って、ＲＩＴ機能における周波数ステップの設定を、ΔＴＸ機能における周波数ステップの設定より優先して、共用する周波数ステップとしては、細かい周波数ステップ（例えば１０Ｈｚ）に設定されることになる。
【００１０】
例えば、ＲＩＴ機能を１０Ｈｚごとに変化するように設定した場合には、ΔＴＸ機能として５ｋＨｚ変化させるためには５００ステップ分の回転操作が必要になる。例えば、１回転あたり５０ステップのロータリーエンコーダを用いた設定ツマミの場合には、そのツマミを１０回転させる必要があった。
このような回転操作には時間がかかるので、ΔＴＸ機能の迅速な操作ができないという問題があった。
【００１１】
そこで、本発明は、細かい周波数ステップのＲＩＴ機能を損なうことなく、ΔＴＸ機能を粗い周波数ステップで使用できる送受信機を提供することを目的としてなされたものである。
【００１２】
【課題を解決するための手段】
本発明にかかる請求項１の送受信機においては、受信周波数を微調整する機能（ＲＩＴ機能）と、送信周波数を微調整する機能（ΔＴＸ機能）とを有し、受信周波数と送信周波数とが異なる周波数で運用可能な送受信機において、前記受信周波数を微調整する受信用周波数ステップデータを記憶する受信用周波数ステップデータ記憶手段と、前記周波数差を設定する送信用周波数ステップデータを記憶する送信用周波数ステップデータ記憶手段と、前記受信用周波数ステップデータと、前記送信用周波数ステップデータとを異なるデータに設定し得る設定手段とを備えるという手段を講じた。
【００１３】
請求項２では、設定手段は、前記受信用周波数ステップデータを設定する受信用設定手段と前記送信用周波数ステップデータを設定する送信用設定手段とに共用される１つの設定ツマミと、前記設定ツマミを受信用設定手段もしくは送信用設定手段の何れかに切り換える切り換え手段とを備えていることを特徴としている。
【００１４】
【作用】
本発明では上記手段を講じたので、ＲＩＴ機能においては、受信周波数は、受信用周波数ステップデータ記憶手段に記憶された受信用周波数ステップデータに基づいて微調整され、ΔＴＸ機能においては、送信周波数と受信周波数の周波数差は、送信用周波数ステップデータ記憶手段に記憶された送信用周波数ステップデータに基づいて設定される。
そこで、前記受信用周波数ステップデータと、送信用周波数ステップデータとを、設定手段によって異なるデータに設定すると、ＲＩＴ機能における受信周波数と、ΔＴＸ機能における送信周波数と受信周波数との周波数差は、互いに異なる周波数ステップで変化する。
【００１５】
【発明の実施の形態】
以下に、本発明にかかる送受信機を、その実施の形態を示した図面に基づいて詳細に説明する。
【００１６】
図１は、本発明にかかる送受信機を備えたトランシーバＴＲの正面の概略図である。
図１において、
１は前記トランシーバＴＲのメインダイアル、２はＲＩＴ機能をオンオフするＲＩＴ機能スイッチ、３はΔＴＸ機能をオンオフするΔＴＸ機能スイッチ、４はＲＩＴ機能とΔＴＸ機能における設定値を増減させて設定する設定ツマミである。
そして、５は運用周波数を表示する主表示部、６はＲＩＴ機能・ΔＴＸ機能の状態を表示する副表示部である。
前記主表示部５には、例えば現在の運用周波数である１４．２００ＭＨｚが表示され、前記副表示部６には、例えば現在のΔＴＸ機能において設定されている周波数差（＋５．００ｋＨｚ）と、現在ＲＩＴ機能がオフに設定されている状態が表示される。
【００１７】
図２は、前記トランシーバＴＲの要部のブロック図である。
図２において、
１１は周波数シンセサイザを用いた送受信部であり、電波の送受信を行うアンテナ１２と、前記送受信部１１から出力される電気信号を音声として出力するスピーカ１３と、音声を電気信号に変換するマイク１４を備えている。
２１はマイクロコンピュータを用いた制御回路であり、メインダイアル１の回転操作信号と、ＲＩＴ機能スイッチ２の操作信号と、ΔＴＸ機能スイッチ３の操作信号と、設定ツマミ４の回転操作信号とに基づいて前記送受信部１１を制御し、必要な情報を主表示部５と副表示部６とに表示する機能を備えている。この制御回路２１には、ＲＩＴ機能における周波数ステップデータと、ΔＴＸ機能における周波数ステップデータとから構成された参照テーブルＴが含まれている。
【００１８】
前記送受信部１１における送受信周波数は前記マイクロコンピュータ２１によって制御される。
メインダイアル１の回転操作によって、メインダイアル１に連結されたロータリーエンコーダから回転方向情報と回転量情報等を含んだ回転操作信号が出力される。この回転操作信号は前記制御回路２１によって送受信周波数の制御信号に変換される。
ＲＩＴ機能においては、前記設定ツマミ４を操作すると、受信周波数は、前記参照テーブルＴに予め設定された周波数ステップで変化する。
ΔＴＸ機能においては、送信周波数は、前記設定ツマミ４を操作して設定された周波数差だけ、現在の受信周波数と異なる周波数に設定される。前記周波数差は、前記設定ツマミ４を操作することによって、前記参照テーブルＴに予め設定されたから周波数ステップで変化する。
ＲＩＴ機能における周波数ステップと、ΔＴＸ機能における周波数ステップとは、後述するように、それぞれ独立して異なる値に設定することができるのである。
【００１９】
以上の構成において、メインダイアル１とは別にＲＩＴ機能スイッチ２と、ΔＴＸ機能スイッチ３とを備えており、設定ツマミ４はＲＩＴ機能における受信周波数を設定する機能と、ΔＴＸ機能における送信周波数を変更するための周波数差を設定する機能を兼用するつまみである。
【００２０】
次に、ＲＩＴ機能スイッチ２とΔＴＸ機能スイッチ３の機能を説明する。
ＲＩＴ機能スイッチ２とΔＴＸ機能スイッチ３は、独立してオンオフ操作可能である。
そして、ＲＩＴ機能スイッチ２のみがオンの場合には、設定ツマミ４を操作すると、受信周波数は、メインダイアル１にて設定された現在の運用周波数を中心として、予めセットモード等で設定された受信用周波数ステップで変化するように機能する。
ΔＴＸ機能スイッチ３のみがオンの場合には、送信周波数と受信周波数との周波数差は、セットモード等で設定された送信用周波数ステップで変化するように機能する。
ＲＩＴ機能スイッチ２とΔＴＸ機能スイッチ３が共にオンの場合には、ＲＩＴ機能スイッチ２のみがオンの場合と同様に機能する。
【００２１】
上述した参照テーブルＴが、特許請求の範囲に記載された受信用周波数ステップデータ記憶手段と送信用周波数ステップデータ記憶手段に対応し、ＲＩＴ機能スイッチ２とΔＴＸ機能スイッチ３と設定ツマミ４と制御回路２１とが、特許請求の範囲に記載された設定手段に対応している。また、ＲＩＴ機能スイッチ２とΔＴＸ機能スイッチ３とが、特許請求の範囲に記載された切り換え手段に対応し、設定ツマミ４と制御回路２１とが、特許請求の範囲に記載された受信用設定手段と送信用設定手段に対応している。
【００２２】
以上の構成において、例えば以下のようにして、セットモード等にモードを切り換えて、ＲＩＴ機能とΔＴＸ機能の設定を行う。
セットモード等に切り換えた後、ＲＩＴ機能スイッチ２のみをオンにして、設定ツマミ４を操作して、ＲＩＴ機能における受信用周波数ステップを、例えば１０Ｈｚに設定する。この設定値がＲＩＴ機能における受信用周波数ステップデータとして参照テーブルＴに書き込まれる。
【００２３】
続いて、ΔＴＸ機能スイッチ３のみをオンにして、設定ツマミ４を操作して、ΔＴＸ機能における送信用周波数ステップを、例えば１００Ｈｚに設定する。この設定値がΔＴＸ機能における送信用周波数ステップデータとして参照テーブルＴに書き込まれる。
これらの周波数ステップデータは、使用するモード等によって異なるデータとすることができる。例えば、占有周波数帯域の狭いモード、例えばＣＷモード等では、比較的に細かい周波数ステップに設定する必要があるが、占有周波数帯域の広いモード、例えばＳＳＢモード等では、比較的に粗い周波数ステップに設定する方が利便性が高い。このような、モード毎の周波数ステップをＲＩＴ機能とΔＴＸ機能とにおいて異なる設定とすることができるのである。
具体的には、前記参照テーブルＴを、各モード毎の受信用周波数ステップデータと送信用周波数ステップデータとで構成することができるのである。
また、受信用周波数ステップの設定操作と、送信用周波数ステップの設定操作を、共通の設定ツマミを用いて設定できるので、設定ツマミを共用しながら上記効果を得ることができるようになった。
【００２４】
以上の設定例によれば、ΔＴＸ機能における受信周波数と送信周波数との周波数差を５ｋＨｚに設定するためには、設定ツマミ４を５０ステップ分回転操作すればよい。
従来のように、ΔＴＸ機能とＲＩＴ機能とを同じ周波数ステップ、例えば１０Ｈｚで操作する場合には、設定ツマミ４を５００ステップ分回転操作しなければならないが、本発明によれば５０ステップ分でよいので、設定ツマミ４の操作量を１／１０に低減することができるのである。
当然ながら、ＲＩＴ機能においては、受信周波数を送信用周波数ステップとは異なるより細かい周波数ステップ、例えば１０Ｈｚステップで変化させることができるので、受信周波数を微調整して受信信号を細かく探すことができる。
【００２５】
なお、設定ツマミ４はロータリーエンコーダに代えてボリュームやアップ／ダウンスイッチ等で構成することができる。
また、受信用周波数ステップと送信用周波数ステップを、前記設定ツマミ４を操作して設定することに代えて、予め登録された複数の周波数ステップデータの何れかを選択して設定することも可能である。
【００２６】
【発明の効果】
以上のように、本発明の送受信機によれば、ＲＩＴ機能における受信用周波数ステップと、ΔＴＸ機能における送信用周波数ステップを、互いに独立して異なる値に設定できるので、ＲＩＴ機能においてはΔＴＸ機能の場合より細かい周波数ステップで受信周波数を変化させることができ、ΔＴＸ機能においてはＲＩＴ機能の場合より粗い周波数ステップで送信周波数と受信周波数との周波数差を設定できるようになった。従って、ＲＩＴ機能とΔＴＸ機能とをそれぞれに適した条件で操作することができるのである。
また、ＲＩＴ機能における受信周波数の微調整操作と、ΔＴＸ機能における送信周波数と受信周波数との周波数差の設定操作を、共通の設定ツマミを用いて設定できるので、設定ツマミを共用しながら上記効果を得ることができるようになった。
【図面の簡単な説明】
【図１】本発明にかかる送受信機の実施の形態を備えたトランシーバＴＲの正面の概略図である。
【図２】前記トランシーバＴＲの要部のブロック図である。
【符号の説明】
ＴＲ　トランシーバ、送受信機
１　　メインダイアル
２　　ＲＩＴ機能スイッチ、切り換え手段
３　　ΔＴＸ機能スイッチ、切り換え手段
４　　設定ツマミ
５　　主表示部
６　　副表示部
１１　送受信部
１２　アンテナ
１３　スピーカ
１４　マイク
２１　制御回路
Ｔ　　参照テーブル、受信用周波数ステップデータ記憶手段、送信用周波数ステップデータ記憶手段
２、３、４、２１　設定手段
４、２１　受信用設定手段
４、２１　送信用設定手段
【図１】
2004128609.tif 000003
【図２】
2004128609.tif 000004